(57)【要約】【課題】精度良く電磁波強度の測定が行える電磁波測定装置を提供する。【解決手段】電磁波測定装置は、電磁波を吸収する壁面で構成され、外界から隔離した正六角形形状の領域を形成する電波暗室と、前記正六角形形状の中心に配置され、電磁波を放射する被測定機器を載置するためのターンテーブルと、前記正六角形形状の６辺のうち１つおきの３辺の各中点と前記正六角形形状の中心位置とを結ぶ直線上に配置され、前記直線に垂直な方向の指向性利得がほぼゼロである３つのアンテナと、前記３つのアンテナ間に配置され、電磁波を吸収する電波吸収板と、を備えている。この構成では、一回反射してアンテナ２６に受信される電磁波の経路は、２つの経路Ｌ２のみであり、この経路の方向のアンテナ２６の指向性利得がほぼゼロであるため、これらの電磁波成分は、測定される電磁波強度に影響を与えない。【選択図】        図２
2004163372.tif 000002
【特許請求の範囲】
【請求項１】
被測定機器が放射する電磁波の強度を測定するための電磁波測定装置であって、
電磁波を吸収する壁面で構成され、外界から隔離した正六角形形状の領域を形成する電波暗室と、
前記正六角形形状の中心に配置され、電磁波を放射する被測定機器を載置するためのターンテーブルと、
前記正六角形形状の６辺のうち１つおきの３辺の各中点と前記正六角形形状の中心位置とを結ぶ直線上に配置され、前記直線に垂直な方向の指向性利得がほぼゼロである３つのアンテナと、
前記３つのアンテナ間に配置され、電磁波を吸収する電波吸収板と、
を備えたことを特徴とする電磁波測定装置。
【請求項２】
請求項１に記載の電磁波測定装置であって、
前記電波吸収板は、その板面を、前記正六角形形状の中心位置を通る直線に、あわせて配置されることを特徴とする電磁波測定装置。
【発明の詳細な説明】
【０００１】
【発明の属する技術分野】
本発明は、電波暗室の内部にアンテナ及び被測定機器を配置し、該被測定機器が放射する電磁波の強度を計測する電磁波測定装置に関する。
【０００２】
【従来の技術】
従来より、電波暗室内部にアンテナを配置して構成された電磁波測定装置が、電子機器などの被測定機器から放射される電磁波の計測に用いられている。
【０００３】
図３には、従来技術に係る電磁波測定装置１０の一例が示されている。この電磁波測定装置１０では、長方形の領域を囲む電波暗室１２の内部にアンテナ支持台１４が設置され、このアンテナ支持台１４にアンテナ１６を一台を取り付けて、回転するターンテーブル１８上に載置された被測定機器１９が放射する電磁波の測定が実施される。この電磁波測定では、周波数帯域ごとに異なる種類のアンテナ１６を用いて計測が行われ、また、アンテナ１６を回転するなどして偏波面を変更する必要もある。そのため、測定中には、作業者により、アンテナ１６を付け替えたり、アンテナ１６の偏波面を変更する作業が行われる。
【０００４】
また、別の従来技術に係る電磁波測定装置の一例が、特開２００１−１１６７８５号公報に示されている。この電磁波測定装置では、電波暗室又はオープンサイトにターンテーブルが配置され、このターンテーブル上に載置された被測定機器により放射される電磁波が、ターンテーブルから所定測定距離の位置に設置した複数のアンテナを用いて測定される。この電磁波測定装置では、電磁波は複数のアンテナで同時に測定されるため、アンテナの付け替え、偏波面変更の作業が省力化され、電磁波の測定時間が短縮されるという利点がある。
【０００５】
【特許文献１】
特開２００１−１１６７８５号公報
【０００６】
【発明が解決しようとする課題】
上述の電磁波強度の測定においては、被測定機器から直線的に直接飛来する電磁波のみが計測されることが理想的であり好ましい。しかし、実際には、電波暗室の壁面で反射して、アンテナに到達する電磁波が存在し、測定精度に影響を与えている。このような電磁波のうち、壁面で２回以上反射した電磁波は、その強度が十分に小さくなり、測定精度への影響がほとんどない。しかし、電波暗室の壁面で１回だけ反射された電磁波は、無視できない程度の強度があり、電磁波強度の測定精度に影響を与えてしまう、といった問題がある。特開２００１−１１６７８５号に開示される技術においても、電波暗室の形状は特定されていないが、同様な問題が生じ得る。
【０００７】
また、特開２００１−１１６７８５号に開示される技術では、複数のアンテナが並べて配置されるため、アンテナ同士の電磁的な結合が生じ、電磁波測定の精度に影響を与えてしまう、といった問題もある。
【０００８】
本発明は、上述の課題に鑑みてなされたものであり、精度良く電磁波強度の測定を行うことができる電磁波測定装置を提供することを目的とする。
【０００９】
【課題を解決するための手段】
上記の目的を達成するために、本発明は、被測定機器が放射する電磁波の強度を測定するための電磁波測定装置であって、電磁波を吸収する壁面で構成され、外界から隔離した正六角形形状の領域を形成する電波暗室と、前記正六角形形状の中心に配置され、電磁波を放射する被測定機器を載置するためのターンテーブルと、前記正六角形形状の６辺のうち１つおきの３辺の各中点と前記正六角形形状の中心位置とを結ぶ直線上に配置され、前記直線に垂直な方向の指向性利得がほぼゼロである３つのアンテナと、前記３つのアンテナ間に配置され、電磁波を吸収する電波吸収板と、を備えたものである。
【００１０】
電磁波測定装置をこのような構成とすることにより、電波暗室の壁面で１回反射してアンテナに到達する電磁波は、アンテナの指向性利得がほぼゼロである方向からアンテナに受信されるため、１回反射した電磁波が測定精度に影響を与えることを防止することができる。また、複数のアンテナ間には電波吸収板が配置されているため、アンテナ同士の電磁的な結合を防止することができる。
【００１１】
また、前記電波吸収板は、その板面を、前記正六角形形状の中心位置を通る直線に、あわせて配置されることも好ましい。このように電波吸収板が配置されることにより、被測定機器から放射される電磁波は、電波吸収板で反射することがない。よって、電磁波が電波吸収板で反射してアンテナに到達することが未然に防止される。
【００１２】
【発明の実施の形態】
以下に、図面を参照して、本発明の実施形態について説明する。
【００１３】
図１は、本発明の実施形態に係る電磁波測定装置２０の概略構成を示す構成図である。この図１は、電磁波測定装置２０を上方から見た図である。
【００１４】
電磁波測定装置２０では、電波を吸収する特性を有する複数の壁面が、正六角形の各辺の位置に配置されることで、電波暗室２２が形成されている。この電波暗室２２の正六角形形状の内側の領域は、外界から電磁波が到来しない隔離された領域となっている。また、この領域の上方は、電波を吸収する天井で覆われている。
【００１５】
この電波暗室２２内部の正六角形領域の中心には、その上に被測定機器を載置可能であり、非導電性の素材で構成されたターンテーブル２８が配置されている。ターンテーブル２８は電波暗室２２の中心を回転軸として所定速度で回転する。また、電波暗室２２の中心と、電波暗室２２の６辺のうち１つおきの３辺の各中点とを結ぶ各直線Ｌ１上には、電磁波を測定するためのアンテナ２６が配置されている。アンテナ２６は、例えばホーンアンテナ、ダブルリッジドアンテナである。全てのアンテナ２６は、同じ条件で測定が行えるように、電波暗室２２の中心から所定の測定距離ｒ１の位置に配置されている。これらのアンテナ２６は、それぞれアンテナ支持台２４に取り付けられている。アンテナ２６は、アンテナ支持台２４に取り付け／取り外しが可能であり、また、その取り付け高さ及び偏波面も調節可能である。各アンテナ２６には、スペクトラムアナライザ３２が接続されており、被測定機器が放射した電磁波の強度を測定可能である。また、各アンテナ２６の中間には、アンテナ２６同士の電磁的な結合を防止するための電波吸収板３０が配置されている。この電波吸収板３０は、電波暗室２２の中心を通る直線に、その板面を合わせて配置されている。このように電波暗室２２内部に３つのアンテナ２６が配置されると、３つのアンテナによる計測を同時に行うことができるため、測定作業及び測定時間の効率化が図られる。
【００１６】
次に、上述した構成の本実施形態に係る電磁波測定装置２０が、電磁波強度の測定精度の低下を防止する作用について説明する。図２は、図１の電磁波測定装置２０を用いて、被測定機器３４から放射される電磁波を測定する際の状況を示している。この図２において、アンテナ２６は点で表されている。このアンテナ２６は、電波暗室２２の中心方向と壁面方向に指向性Ａ１，Ａ２を有し、アンテナ２６と電波暗室２２の中心を結ぶ直線と垂直な方向の指向性利得はほぼゼロである。
【００１７】
測定時には、ターンテーブル２８が回転するため、被測定機器３４から放射される電磁波は、電波暗室２２内の全ての方向に放射される。この際、被測定機器３４からアンテナ２６に直接に放射される電磁波が、アンテナ２６で測定すべき電磁波であるが、一部の電磁波は電波暗室２２の壁面で一回反射してアンテナ２６に到達する。本実施形態では、電波暗室２２が六角形形状であり、且つ、アンテナ２６が配置される位置は電波暗室の中心と壁面の中点を結ぶ直線上であるため、一回反射してアンテナ２６に受信される電磁波の経路は、図中示される２つの経路Ｌ２のみである。そして、さらに、この２経路の電磁波がアンテナ２６に受信される方向、すなわち、中心と中点を結ぶ直線におよそ垂直な方向は、アンテナ２６の指向性利得がほぼゼロであるため、これらの電磁波成分は、測定される電磁波強度に影響せず、測定精度の低下が防止されている。
【００１８】
また、本実施形態では、各アンテナ２６間に電波吸収板３０が配置されているため、アンテナ２６の結合、すなわち、電磁波の受信特性について、アンテナ２６同士が互いに与える影響が低減され、よって、電磁波の測定精度の低下が防止されている。さらに、このアンテナ２６は、正六角形形状の中心位置を通る直線に、電波吸収板３０の板面があわせて配置されているため、電波吸収板３０による電磁波の反射が発生することがない。すなわち、電波吸収板３０によるアンテナ２６方向への電磁波の反射がなく、この点においても、測定精度の低下が防止されている。
【００１９】
以上、本発明の好適な実施形態について説明したが、本発明は上記実施形態に限定されるものではなく、等価な範囲で様々な変形が可能である。例えば、床面に電波吸収体を敷設して、電磁波が床面で反射され、アンテナ２６で受信されることを防止してもよい。
【００２０】
【発明の効果】
本発明では、正六角形形状の電波暗室の内部において、電波暗室の中心と一壁面の中点を結ぶ直線上にアンテナが配置され、且つ、その直線の垂直な方向にはアンテナの指向性がほぼゼロであるため、電波暗室の壁面で反射した電磁波による、電磁波強度の測定精度の低下を防止することができる。
【００２１】
また、アンテナ間に電波吸収板が配置されるため、アンテナ間の結合が低減され、電磁波強度の測定精度の低下を防止することができる。
【図面の簡単な説明】
【図１】本発明の実施形態に係る電磁波測定装置の概略構成を示す構成図である。
【図２】被測定機器から放射される電磁波を測定する際の状況を示す説明図である。
【図３】従来技術に係る電磁波測定装置の概略構成を示す構成図である。
【符号の説明】
１０，２０  電磁波測定装置、１２，２２  電波暗室、１４，２４  アンテナ支持台、１６，２６  アンテナ、１８，２８  ターンテーブル、３０  電波吸収板、３２  スペクトラムアナライザ、３４  被測定機器。
【図１】
2004163372.tif 000003
【図２】
2004163372.tif 000004
【図３】
2004163372.tif 000005